(57)【要約】【課題】開閉扉で形成された乗降口を通じて車室内に対して乗員が乗降することのできる自動車等の車両であって、乗員が乗降動作をする時に、安定した部位に手を掛けて乗員の乗降を補助することができる車両の乗降アシスト構造を車室内に設けること。【解決手段】開閉扉で形成された乗降口１２を通じて車室内に対して乗員が乗降することのできる自動車等の車両であって、乗降口１２の開口縁位置には開閉扉の閉鎖時に車室内への水の浸入を防ぐシール部構造１６が施されており、シール部構造１６の位置より車室内の位置であって、乗員が乗降口１２を通る際に乗降を容易とするために乗員が手を掛けることのできるシートバック３０の表面位置に手を掛けることのできる凹部６０が形成されており、この凹部６０に乗員が手を掛けて乗降することができる。【選択図】図２
2010195356.tif 000002
【特許請求の範囲】
【請求項１】
開閉扉で形成された乗降口を通じて車室内に対して乗員が乗降することのできる自動車等の車両であって、
前記乗降口の開口縁位置には前記開閉扉の閉鎖時に車室内への水の浸入を防ぐシール部構造が施されており、
該シール部構造位置より車室内の位置であって、乗員が前記乗降口を通る際に乗降を容易とするために乗員が手を掛けることのできる車室内のシート等の装備品の表面位置に手を掛けることのできる凹部が形成されており、該凹部に乗員が手を掛けて乗降することができることを特徴とする車両の乗降アシスト構造。
【請求項２】
請求項１に記載の車両の乗降アシスト構造であって、
前記開閉扉はヒンジによる回転扉であり、前記手を掛けることのできる凹部は該回転扉が面したシートバックの側部面に形成されていることを特徴とする車両の乗降アシスト構造。
【請求項３】
請求項１又は請求項２に記載の車両の乗降アシスト構造であって、
前記乗降口の下部位置には車両のタイヤハウスが形成されており、乗降口の開口面積が下方位置より上方位置が相対的に広く形成されており、該広い位置の箇所に前記手を掛けることのできる凹部が形成されていることを特徴とする車両の乗降アシスト構造。
【発明の詳細な説明】
【技術分野】
【０００１】
本発明は、車両の乗降アシスト構造に関する。
【背景技術】
【０００２】
従来、開閉扉で形成された乗降口を通じて車室内に対して乗員が乗降することのできる自動車等の車両において、乗員が車両内外へ乗降するときに乗降動作を補助するものとして、例えば、車両の各部位に装着したアシストグリップが知られている。このアシストグリップは、車両内の装備品であるピラー、車室天井面、ドア、前席シートバックの背面等に装着されている。このアシストグリップは、乗員の姿勢保持の場合や車室内の移動の際の補助として使用することができる。
また、特許文献１のように、車両の装備品としては常備されないが、乗降時においてのみ装着されて乗降の補助として使用される乗降補助具が知られている。この乗降補助具は、丸棒状の把持部と、ドアロックストライカーの係合体に引掛ける取付体から構成されている。そして、車両の開閉扉が開放時に、この乗降補助具を車両のドアロックストライカーに装着して乗員が把持部を使用して乗降動作を容易とするものである。
また、特許文献２のように、乗降を補助する車両用シートが設けられたものが知られている。この車両シートは、シート本体を回転させて車室外方側へ移動可能とすることにより、乗員の車両への乗降を楽に行えるようにするものである。
【先行技術文献】
【特許文献】
【０００３】
【特許文献１】特開２００４−６５３３１号公報
【特許文献２】特開２００８−６２８７７号公報
【発明の概要】
【発明が解決しようとする課題】
【０００４】
しかしながら、上記した特許文献１に記載の乗降補助具は、乗降のたびにドアロックストライカーへの装着が必要となり、装着の煩わしさがある。また、この乗降補助具を取り付けたままドアを閉めるとドアと干渉して、乗降補助具、車両のドア共に破損のおそれが危惧される。
また、上記した特許文献２に記載の車両用シートは、乗降が楽に行えるものであるがシート本体の回転に要する装備品が大がかりなものとなってしまい、製造コストが増加するといった問題がある。
また、上記したアシストグリップは、乗員の姿勢保持の場合や車室内の移動の際の補助として使用されるが、乗員が乗降口を通じて車室内を乗降する動作（すなわち、乗車する際の着座動作又は乗降口を通じて降車する際の起立動作）をする場合においては、このグリップは使用されない。そのため、乗員の乗降動作（着座動作又は起立動作）は、開放されたドア内面のドアトリムと乗降口の開口縁位置とに手を掛けて体を支える動作（例えば、降車時の起立動作では、車両側方へ体を押し上げる方向への動作）によって行われる。
ここで、乗降口の開口縁位置には、開閉扉の閉鎖時に車室内への水の浸入を防ぐシール部構造が施されており、このシール部構造位置より車室外方は汚れている。そのため、乗員の乗降動作の際に乗降口の開口縁位置に手を掛けると乗員の手が汚れるという問題があった。
また、乗降時の乗員は不安定な姿勢であるため、乗降動作時は安定した部位に手を掛けて姿勢を保持したい。ところが、上記した乗降口の開口縁位置は、手を掛けることを考慮した形状ではないため手が掛かりにくい形状をしているのが一般的である。そのため、乗降動作時に安定した部位に手を掛けることができずに姿勢の保持が困難となる場合がある。
そこで、本発明者は鋭意検討の結果、乗員が乗降動作をする時に、上記乗降口の開口縁位置に変えて、安定した部位に手を掛ける構造を設ければ、より一層、乗員の乗降を補助をすることができ、手が汚れることもないことに着目した。
【０００５】
而して、本発明は、このような点に鑑みて創案されたものであり、本発明が解決しようとする課題は、開閉扉で形成された乗降口を通じて車室内に対して乗員が乗降することのできる自動車等の車両であって、乗員が乗降動作をする時に、安定した部位に手を掛けて乗員の乗降を補助することができる車両の乗降アシスト構造を車室内に設けることにある。
【課題を解決するための手段】
【０００６】
上記課題を解決するために、本発明の車両の乗降アシスト構造は次の手段をとる。
先ず、第１の発明は、開閉扉で形成された乗降口を通じて車室内に対して乗員が乗降することのできる自動車等の車両であって、前記乗降口の開口縁位置には前記開閉扉の閉鎖時に車室内への水の浸入を防ぐシール部構造が施されており、該シール部構造位置より車室内の位置であって、乗員が前記乗降口を通る際に乗降を容易とするために乗員が手を掛けることのできる車室内のシート等の装備品の表面位置に手を掛けることのできる凹部が形成されており、該凹部に乗員が手を掛けて乗降することができることを特徴とする。
【０００７】
この第１の発明によれば、シール部構造位置より車室内の位置であって、乗員が前記乗降口を通る際に乗降を容易とするために乗員が手を掛けることのできる車室内のシート等の装備品の表面位置に手を掛けることのできる凹部が形成されている。この凹部は、乗員が乗降する時に安定して手を掛けられる部位である。そのため、より一層乗員の乗降を補助することができる。また、この凹部は車室内に設けられたものであるため手を掛けても手が汚れることがない。また、車室内のシート等の装備品の表面位置において、凸状形成ではなく、凹部によって形成されているものである。凸状に形成されていると乗員に接触するおそれがあり、着座時や乗降時における快適性を阻害するおそれがあるが、凹部によって形成されていることから快適性を阻害するおそれがない。また、車室内のシート等の装備品の表面に凹部を形成するものであり、新たな部品の増加を抑制することができ、コスト面においても有効である。
【０００８】
次に、第２の発明は、上述した第１の発明において、前記開閉扉はヒンジによる回転扉であり、前記手を掛けることのできる凹部は該回転扉が面したシートバックの側部面に形成されていることを特徴とする。
【０００９】
この第２の発明によれば、この車両の乗降アシスト構造は、開閉扉がヒンジによる回転扉である場合に有効である。すなわち、この回転扉の回転範囲は全開した状態でも、乗降口を完全には開放状態にできない場合がある。よって、乗降口が完全には開放状態に無く、限られた乗降スペースから乗降する状態では、乗員は乗降の際に不安定な姿勢で乗降をしなければならない。ここで、乗員が乗降時に不安定な姿勢であっても、回転扉が面したシートバックの側部面に形成された凹部に安定して手を掛けて姿勢を保持することができるため乗降動作時の乗降補助をすることができる。
【００１０】
次に、第３の発明は、上述した第１の発明又は第２の発明のいずれかにおいて、前記乗降口の下部位置には車両のタイヤハウスが形成されており、乗降口の開口面積が下方位置より上方位置が相対的に広く形成されており、該広い位置の箇所に前記手を掛けることのできる凹部が形成されていることを特徴とする。
【００１１】
この第３の発明によれば、この車両の乗降アシスト構造は、乗降口の下部位置には車両のタイヤハウスが形成されており、乗降口の開口面積が下方位置より上方位置が相対的に広く形成された場合の乗降口において更に有効である。すなわち、乗降口の下部位置には車両のタイヤハウスが形成されていることから、乗降口の下方位置の開口面積は狭く設定されている。そのため、乗員が乗降口を通じて車室内を乗降する動作において、乗員は脚部を置く位置が制限され、不安定な姿勢で乗降をしなければならない。ここで、手を掛けることのできる凹部は、乗降口の開口面積が下方位置より上方位置における相対的に広く形成された位置に形成されている。そのため、乗員が乗降動作をする時に、安定した部位に手を掛けて乗員の乗降を補助することができる。
【発明の効果】
【００１２】
本発明は上記各発明の手段をとることにより次の効果を得ることができる。
先ず、上記第１の発明の車両の乗降アシスト構造によれば、シール部構造位置より車室内の位置であって、乗員が前記乗降口を通る際に乗降を容易とするために乗員が手を掛けることのできる車室内のシート等の装備品の表面位置に手を掛けることのできる凹部が形成されている。この凹部は、乗員が乗降する時に安定して手を掛けられる部位である。そのため、より一層乗員の乗降を補助することができる。また、この凹部は車室内に設けられたものであるため手を掛けても手が汚れることがない。また、車室内のシート等の装備品の表面位置において、凸状形成ではなく、凹部によって形成されているものである。凸状に形成されていると乗員に接触するおそれがあり、着座時や乗降時における快適性を阻害するおそれがあるが、凹部によって形成されていることから快適性を阻害するおそれがない。また、車室内のシート等の装備品の表面に凹部を形成するものであり、新たな部品の増加を抑制することができ、コスト面においても有効である。
【００１３】
次に、上記第２の発明の車両の乗降アシスト構造によれば、この車両の乗降アシスト構造は、開閉扉がヒンジによる回転扉である場合に有効である。すなわち、この回転扉の回転範囲は全開した状態でも、乗降口を完全には開放状態にできない場合がある。よって、乗降口が完全には開放状態に無く、限られた乗降スペースから乗降する状態では、乗員は乗降の際に不安定な姿勢で乗降をしなければならない。ここで、乗員が乗降時に不安定な姿勢であっても、回転扉が面したシートバックの側部面に形成された凹部に安定して手を掛けて姿勢を保持することができるため乗降動作時の乗降補助をすることができる。
【００１４】
次に、上記第３の発明の車両の乗降アシスト構造は、乗降口の下部位置には車両のタイヤハウスが形成されており、乗降口の開口面積が下方位置より上方位置が相対的に広く形成された場合の乗降口において更に有効である。すなわち、乗降口の下部位置には車両のタイヤハウスが形成されていることから、乗降口の下方位置の開口面積は狭く設定されている。そのため、乗員が乗降口を通じて車室内を乗降する動作において、乗員は脚部を置く位置が制限され、不安定な姿勢で乗降をしなければならない。ここで、手を掛けることのできる凹部は、乗降口の開口面積が下方位置より上方位置における相対的に広く形成された位置に形成されている。そのため、乗員が乗降動作をする時に、安定した部位に手を掛けて乗員の乗降を補助することができる。
【図面の簡単な説明】
【００１５】
【図１】実施例１に係る車両の乗降アシスト構造を車室内方側から見た全体構成を示した斜視図である。
【図２】実施例１に係る車室外方側から車両の乗降アシスト構造を使用して乗員が乗降動作の例を示した斜視図である。
【図３】実施例１に係る車両の乗降アシスト構造の骨格構成を示した分解斜視図である。
【図４】実施例１に係る車両の乗降アシスト構造の図３のＩＶ−ＩＶ線断面図である。
【発明を実施するための形態】
【００１６】
以下に、本発明を実施するための形態の実施例について図面を用いて説明する。
【実施例１】
【００１７】
始めに、実施例１の車両用シート１０の車両の乗降アシスト構造の構成について、図１から図３を用いて説明する。
また、図３は、図示上手前側のシートはシートの全体図を示しており、図示上奥側のシートはシートバック３０の骨格等の内部構成を示すものである。これに伴い、シートバック３０の骨格等の内部構成を強調して図示し、ヘッドレスト７０、シートクッション２０、シートバック３０の構成については細線にて図示している。また、各図において、矢印で示すＦＷＤ、ＵＰＲは車両用シート１０の前方、上方を示している。
【００１８】
本実施例１の説明において、先ずこの車両の乗降アシスト構造の全体概要を説明した上で、構造の詳細の説明を行う。また、本実施例１の車両の乗降アシスト構造おいては、車両の乗降口１２に面した車両用シート１０のシートバック３０の表面位置に手を掛けることのできる凹部６０が形成されている構成に特徴を有している。その他の部分については特に変更を要しないのでその説明は省略することがある。
本実施例１の車両の乗降アシスト構造は、車両の１列目や２列目等の座席の何れにおいても採用されるものである。なお、本実施例の車両の乗降アシスト構造は、車両の２列目に配設される後部座席における構成を示したものである。
【００１９】
図１は、実施例１に係る車両の乗降アシスト構造を車室内方側から見た全体構成を示した斜視図である。図１に図示されるように、車両の後部座席の車両用シート１０は、主に着座者の着座部となるシートクッション２０と、着座者の背凭れとなるシートバック３０と、着座者の頭もたれとなるヘッドレスト７０から構成されている。
車両外方側の側面には、乗員が乗降することのできる乗降口１２が形成されている。この乗降口１２には、車両前方側に設置されたヒンジ１５によって車両の外方側且つ前後方向に回転可能な回転扉１４が構成されている。乗降口１２は、この回転扉１４が車両前方方向に回転して開放されてできた開口部１８によって構成されている。
この乗降口１２の開口部１８は、この回転扉１４の外形形状と略同一に形成されている。また、乗降口１２の開口面積は、下方位置（乗員が着座した状態における脚部側）より上方位置（乗員が着座した状態における上半身側）が相対的に広く形成されている。これは、車室内の側壁が後輪のタイヤの上方を覆うカバーが車室内方に張り出したタイヤハウス８０が形成されているため、乗降口１２の下部位置は、このタイヤハウス８０を回避する形状に形成されていることによるものである。
そのため、乗降口１２の下方位置は、開口面積が制限されて狭く形成されており、乗員の乗降動作において乗員の脚部の移動範囲が制限され、また脚部を地面に置く位置も制限される。よって乗員は、不安定な姿勢で乗降動作をすることとなる。
【００２０】
そのため、この車室内には、乗員が乗降口１２を通る際に乗降を容易とするための車両の乗降アシスト構造として、乗員が手を掛けることのできる凹部６０が形成されている。
この手を掛けることのできる凹部６０は、乗員の乗降動作において手を掛けることができる車両装備品としてシートバック３０が選択されている。凹部６０は、このシートバック３０において回転扉１４に面した側部の表面位置に形成されている。また、凹部６０の形成位置は、乗降口１２の開口部１８の上方位置（乗員が着座した状態における上半身側）である広い位置に形成されている。
【００２１】
図２は、実施例１に係る車室外方側から車両の乗降アシスト構造を使用して乗員が乗降動作の例を示した斜視図である。図２に図示されるように、乗降口１２の開口縁位置には回転扉１４の閉鎖時に車室内への水の浸入を防ぐシール部構造１６が施されている。上記手を掛けることのできる凹部６０は、シール部構造１６の位置より車室内の位置であって、乗員の乗降動作において手を掛けることができる車両装備品としてのシートバック３０に形成されている。
【００２２】
凹部６０を形成するための各構成について説明する。
図３は、実施例１に係る車両の乗降アシスト構造の骨格構成を示した分解斜視図である。
図３に図示されるように、上記手を掛けることのできる凹部６０が形成される位置は、乗員の乗降動作において手を掛けることができる車両装備品のうちシートバック３０が選択されている。この凹部６０は、このシートバック３０において回転扉１４に面した側部の表面位置に形成されている。また、凹部６０の形成位置は、乗降口１２の開口部１８の上方位置（乗員が着座した状態における上半身側）である広い位置に形成されている。
【００２３】
シートバック３０について説明する。
図３に図示されるように、乗員の乗降動作において手を掛けることができる車両装備品としてシートバック３０が選択されている。この凹部６０は、このシートバック３０において回転扉１４に面した側部の表面位置に形成されている。また、凹部６０の形成位置は、乗降口１２の開口部１８の上方位置（乗員が着座した状態における上半身側）である広い位置に形成されている。
図３に図示されるように、シートバック３０は、着座者の背凭れ部として構成されるものであり、概略、バックフレーム３２、凹部形成ブラケット５０、背面パネル４０、パッド部材４２、表皮４４を備えて構成されている。
ここで、この車両用シート１０に対応する車室内の側壁は、タイヤの上方を覆うカバーが車室内方に張り出したタイヤハウス８０を有する構成とされている。そのため、シートバック３０の側部の車両外方側の形状は、タイヤハウス８０を回避するためにシートバック３０の側部下方が切り欠かれて形成されている。
また、乗員が後席に着座しない後席不使用時においては、シートバック３０を前倒しにして倒伏しシートバック３０の背面側の面を荷物等の載置台として活用できるように、シートバック３０の下端部は起倒回動可能に枢支されている。
【００２４】
バックフレーム３２について説明する。
図３に図示されるように、バックフレーム３２は、シートバック３０の骨組みを構成するものであって、全体が略四角状の枠状に構成されている。具体的に、このバックフレーム３２は、金属パイプが略四角状に折曲加工されたパイプフレーム３４によって構成されている。このパイプフレーム３４が、後述する背面パネル４０と適宜のスポット溶接等によって剛結合されて構成される。
パイプフレーム３４の上辺のパイプフレーム上方部位３４ａは、シートバック３０の肩部の剛性を担っている。パイプフレーム３４の下辺のパイプフレーム下方部位３４ｂは、シートバック３０の下端部の剛性を担っている。また、シートバック３０の左右両辺のパイプフレーム側方部位３４ｃはシートバック３０の側部の剛性を担っている。
また、図３に図示されるように、シートバック３０は、上記したタイヤハウス８０と干渉しないで車両前方ＦＷＤ方向へ前倒しに倒伏可能な起倒回動ができるように構成されている。これに伴い、上記したバックフレーム３２のパイプフレーム３４は、タイヤハウス８０を回避するために側部下方が切り欠かれるように折り曲げ形成されている。
【００２５】
凹部形成ブラケット５０について説明する。
図３に図示されるように、この凹部形成ブラケット５０は、シートバック３０の側部の表面形状を形成すると共に、手を掛けることができる凹部６０を構成するために骨格となるものであり、バックフレーム３２に取り付けられるものである。この凹部形成ブラケット５０は、剛性を有した板状部材で形成されるものであり本実施例１においては、熱可塑性樹脂等の合成樹脂による射出成形品が選択されている。
詳しくは、この凹部形成ブラケット５０は、シートバック３０の側部の表面形状を形成すると共に、手を掛けることができる凹部６０が形成されている。
そして、この凹部形成ブラケット５０は、バックフレーム３２のパイプフレーム３４のパイプフレーム側方部位３４ｃの位置において適宜に折り曲げ加工されたワイヤフレーム５２によって結合されている。
この凹部６０は、シートバック３０側部の一部分を縦に切り欠いた形状に形成されている。また、切り欠き部の下方部の部位が切り欠き方向に略直行した支持面６２を有する。  この支持面６２が乗員が乗降動作の際に手を掛ける部位である。
【００２６】
図４は、本実施例１に係る車両の乗降アシスト構造の図３のＩＶ−ＩＶ線断面図である。図４に図示されるように、この支持面６２は、乗員の手の小指側から、手の甲の三分の一を置くことができる範囲に設定されている。一般成人における手の掛かりを確保することを考慮すると、図４に図示されるＤの寸法は少なくとも３０ｍｍの深さがあることが望ましい。
【００２７】
また、シートバック３０の側部における凹部６０の形成される高さは、乗降口１２の開口部１８の上方位置（乗員が着座した状態における上半身側）に対応する範囲に形成されている。これは、乗員が乗降口１２を通じて車室内を乗降する動作において、不安定な姿勢の際に安定した部位に手を掛けて乗員の乗降を補助することができる範囲として設定されているものである。この凹部６０の支持面６２は、一般成人が乗降の際に安定した部位として手を掛けることができる範囲を考慮すると図２に図示されるＨの寸法は地面から７００ｍｍ〜９００ｍｍの高さに形成されていることが望ましい。
【００２８】
次に、パッド部材４２及び表皮４４について説明する。
図示は省略されているが、パッド部材４２は、発泡ウレタン等の弾性材料で形成されている。パッド部材４２はバックフレーム３２に被せ付けられており、また、パッド部材４２の表面はシートバック３０の表面（背凭れ面）の外形形状として形成されており、表皮４４で被覆されている。
【００２９】
次に、背面パネル４０について説明する。
図１から図４に図示されるように、この背面パネル４０は、シートバック３０の骨格の一部を担うと共に、背面側の剛性を確保することで背面側からの衝撃が着座者に伝達されないように構成されている。また、この背面パネル４０は剛性を有すと共に平坦な面形状に形成されている。これは、シートバック３０を前倒しにして倒伏し、背面パネル４０の背面側の面を荷物等の載置台として活用できるようにするためである。
また、この背面パネル４０は、背面側からの衝撃に耐えうる剛性を有した材質による板状部材で構成されている。また、背面パネル４０は、バックフレーム３２の背面側を覆う事ができる形状であり、且つ、略平坦な面形状に形成されている。そして、バックフレーム３２と一体に結合されて構成されている。
また、図示を省略するが、シートバック３０には、シートバック３０を起立姿勢状態に保持するために車体側壁部分と固定保持する保持機構が備えられている。この保持機構を解除して、シートバック３０を前倒しにして倒伏し、シートバック３０の背面側の面を荷物等の載置台として活用できる。
【００３０】
上記構成からなる本実施例における車両の乗降アシスト構造の使用態様は次の通りである。
この乗降動作において、乗員が乗降口１２を通じて降車する際の起立動作を例にして説明する。図２に図示されるように、乗員は、着座姿勢状態から体の下半身を乗降口１２方向にねじって脚部を車室内から地面に移動する。次に脚部を地面に接地させた後に、一方の手を車両のドアトリムに設けられたアームレストに手を掛け、もう一方をシートバック３０の凹部６０に手を掛ける。次に、乗員は両手を使って車両側方へ体を押し上げる方向に力をいれて体を起立させる。こうして、乗員は、降車する際の起立動作を行う。なお、乗員が乗降口１２を通じて乗車する際の着座動作は上記した起立動作の反対の動作を行うこととなる。
【００３１】
これらの構成によれば、シール部構造１６の位置より車室内の位置であって、乗員が前記乗降口１２を通る際に乗降を容易とするために乗員が手を掛けることのできる車室内のシート等の装備品の表面位置に手を掛けることのできる凹部６０が形成されている。この凹部６０は、乗員が乗降する時に安定して手を掛けられる部位である。そのため、より一層乗員の乗降を補助することができる。また、この凹部６０は車室内に設けられたものであるため手を掛けても手が汚れることがない。また、車室内のシート等の装備品の表面位置において、凸状形成ではなく、凹部６０によって形成されているものである。凸状に形成されていると乗員に接触するおそれがあり、着座時や乗降時における快適性を阻害するおそれがあるが、凹部６０によって形成されていることから快適性を阻害するおそれがない。また、車室内のシート等の装備品の表面に凹部６０を形成するものであり、新たな部品の増加を抑制することができ、コスト面においても有効である。
【００３２】
また、上記実施例の車両の乗降アシスト構造は、開閉扉がヒンジ１５による回転扉１４である場合であり、有効に機能する。すなわち、この回転扉１４の回転範囲は全開した状態でも、乗降口１２を完全には開放状態にできない。この場合、乗降口１２が完全には開放状態に無く、限られた乗降スペースから乗降する状態では、乗員は乗降の際に不安定な姿勢で乗降をしなければならない。ここで、乗員が乗降時に不安定な姿勢であっても、回転扉１４が面したシートバックの側部面に形成された凹部６０に安定して手を掛けて姿勢を保持することができるため乗降動作時の乗降補助をすることができる。
【００３３】
また、上記実施例の車両の乗降アシスト構造は、乗降口１２の下部位置には車両のタイヤハウス８０が形成されており、乗降口１２の開口面積が下方位置より上方位置が相対的に広く形成された乗降口１２となっており更に有効に機能する。すなわち、乗降口１２の下部位置には車両のタイヤハウス８０が形成されていることから、乗降口１２の下方位置の開口面積は狭く設定されている。そのため、乗員が乗降口１２を通じて車室内を乗降する動作において、乗員は脚部を置く位置が制限され、不安定な姿勢で乗降をしなければならない。ここで、手を掛けることのできる凹部６０は、乗降口１２の開口面積が下方位置より上方位置における相対的に広く形成された位置に形成されている。そのため、乗員が乗降動作をする時に、安定した部位に手を掛けて乗員の乗降を補助することができる。
【００３４】
本発明の車両の乗降アシスト構造は、本実施の形態に限定されず、本発明の要旨を変更しない範囲で種々の変更、追加、削除が可能である。
例えば、本実施例１においては、凹部６０は、シートバックの側部面に形成されるものについて示したがこれに限定されるものではない。この凹部は、乗員が乗降口１２を通る際に乗降を容易とするために乗員が手を掛けることのできる車室内のシート等の装備品の表面位置であれば良く、車両の車室内の側壁部位等の車室内の各種装備品に適用できるものである。
【００３５】
また、本実施例１においては、乗降口１２の開閉扉は、ヒンジ１５による回転扉１４である構成について示したがこれに限定されるものではない。例えば、乗降口の開閉扉がスライドドアの構成のものについても適用できるものである。
【００３６】
また、本実施例１では、凹部６０における乗員が手を掛ける支持面６２は水平に形成されたものについて示したがこれに限定されるものではない。この支持面は、乗員の乗降動作（着座動作又は起立動作）において乗員が手を掛けて体を支える動作方向を支持する向きに形成されていればよい。例えば、降車時の起立動作では、乗員が立ち上がるときに車両側方へ体を押し上げる動作方向を支持する向きに形成されていればよい。
【００３７】
また、本実施例１では、この凹部６０における乗員が手を掛ける支持面６２の面形状について平坦なものについて示したが、これに限定されるものではない。この支持面は、乗員の乗降動作（着座動作又は起立動作）において乗員が手を掛けて体を支える面形状であれば、表面が凹凸上に形成されたものでもよいし、屈曲面、湾曲面、段差面等の各種の面形状が適用できるものである。
【００３８】
また、本実施例１においては、常時凹部６０が形成されたものについて示したがこれに限定されるものではない。例えば、凹部６０と、この凹部の形成位置の表皮４４との間に弾性体を配設する。常時は、この弾性体の付勢力によって車室内のシート等の装備品の表面形状を保持している。また、乗員が乗降動作の際には、この凹部６０に配設された弾性体の付勢力に抗して乗員の手による押圧力で凹部６０に手を掛けることができるものであってもよい。これによれば、車室内のシート等の装備品の外観上における意匠性を損なうこともなく、乗員の乗降時における凹部としての乗降アシスト機能を発揮することができる。なお、この場合においては、乗員がこの凹部の配設位置を外観上特定できるようにすることに留意することが考えられる。
【００３９】
また、本実施例１においては、凹部６０を構成するために、凹部形成ブラケット５０をワイヤフレーム５２によって結合する構成について示したがこれに限定されるものではない。剛性を有した板状部材で形成されるものであれば、金属製のものでも良い。取り付け方法もワイヤフレーム５２に限定されるものではなく、溶接、ボルトとナット等による締結する構造であってもよい。
【符号の説明】
【００４０】
１０    車両用シート
１２    乗降口
１４    回転扉
１５    ヒンジ
１６    シール部構造
１８    開口部
２０    シートクッション
３０    シートバック
３２    バックフレーム
３４    パイプフレーム
３４ａ  パイプフレーム上方部位
３４ｂ  パイプフレーム下方部位
３４ｃ  パイプフレーム側方部位
４０    背面パネル
４２    パッド部材
４４    表皮
５０    凹部形成ブラケット
５２    ワイヤフレーム
６０    凹部
６２    支持面
７０    ヘッドレスト
８０    タイヤハウス
ＦＷＤ    車両前方
ＵＰＲ    車両上方
【図１】
2010195356.tif 000003
【図２】
2010195356.tif 000004
【図３】
2010195356.tif 000005
【図４】
2010195356.tif 000006